(57)【要約】【課題】交換対象のメモリの個数にかかわらず、書き換え作業を短縮で、安全上好ましくない状況の発生を防ぐことが可能なエレベータを提供する。【解決手段】かごに設けられ情報を表示するかご画像表示装置１０と、各階の乗り場に設けられた乗り場画像表示装置と、かご画像表示装置１０あるいは各乗り場画像表示装置が表示する表示データを記憶する書き換え可能なメモリ１５と、このメモリ１５に記憶させる表示データを作成する表示制御部１６と、かご画像表示装置１０又は各乗り場画像表示装置に表示させるための表示データを内部に記憶した携帯端末１１と、この携帯端末１１との間で無線通信を行う送受信部１４とを備え、この送受信部１４は携帯端末１１からの表示データを含む無線信号を受信復調して表示データを抽出し、表示制御部は１６はこの表示データをメモリ１５に書き込む。【選択図】図２
2011051681.tif 000002
【特許請求の範囲】
【請求項１】
かごと、
このかごに設けられ情報を表示するかご画像表示装置と、
各階の乗り場に設けられた乗り場画像表示装置と、
前記かご画像表示装置あるいは各乗り場画像表示装置が表示する表示データを記憶する書き換え可能なメモリと、
このメモリに記憶させる前記表示データを作成する表示制御部と、
前記かご画像表示装置又は前記各乗り場画像表示装置に表示させるための表示データを内部に記憶した携帯端末と、
この携帯端末との間で無線通信を行う送受信部と、を備え、
この送受信部は前記携帯端末からの前記表示データを含む無線信号を受信復調して前記表示データを抽出し、前記表示制御部はこの表示データを前記メモリに書き込むことを特徴とするエレベータ。
【請求項２】
前記メモリは前記携帯端末を認証するための認証データを記憶し、前記携帯端末は前記表示データと認証データとを無線送信し、
前記表示制御部は、前記送受信部が受信した前記携帯端末からの前記認証データと、前記メモリに記憶された前記認証データとを照合判定し、認証が成功した場合、この認証の成功以降、前記携帯端末から受信した前記表示データを用いて書き込み処理を行うことを特徴とする請求項１記載のエレベータ。
【請求項３】
前記かご画像表示装置に設けられ無線通信を行う第１無線送受信部と、前記乗り場画像表示装置に設けられこの第１無線送受信部との間で無線通信を行う第２無線送受信部と、エレベータ運転を制御する主制御装置と、前記かごに設けられこの主制御装置に対しこのエレベータ運転のモードを各停運転モードに切り替える指令を与えるためのスイッチと、を備え、
前記各停運転が開始した時に、前記かご画像表示装置の前記第１無線送受信部がいずれかのかご停止階の前記乗り場画像表示装置の前記第２無線送受信部に対して前記表示データを送信し、前記画像制御部は、この表示データにより前記乗り場画像表示装置の前記メモリを書き換えることを特徴とする請求項２又は請求項３記載のエレベータ。
【請求項４】
前記かご画像表示装置は、前記表示データが書き込み済みであるか又は未書き込みであるかを表す情報を各階床毎に記憶するメモリ領域を持つ記憶素子と、この記憶素子の前記メモリ領域にこの情報を書き込む情報読み書き手段と、この情報読み書き手段が前記メモリ領域に全階床分の前記表示データを書き込み済みであることを確認した場合、前記情報読み書き手段に対して書き込み操作の終了を通知する手段と、を備え、
前記主制御装置は、前記情報読み書き手段が前記書き込み操作を終了した時点で前記エレベータ運転を通常運転へ復帰させることを特徴とする請求項３記載のエレベータ。
【請求項５】
前記表示制御装置は、
前記かご画像表示装置と各乗り場画像表示装置との間で前記表示データが更新されている最中、乗り場呼びを検出したときに、この乗り場呼びを有効として前記表示制御部による前記表示データの更新を中断する手段と、
前記かご画像表示装置及び前記乗り場画像表示装置の通常使用時の処理が終了した後、前記表示制御部に各乗り場表示装置の前記メモリヘの書き換えを再開させる手段と、を備えたことを特徴とする請求項３又は請求項４記載のエレベータ。
【請求項６】
前記表示制御部は、
前記かご画像表示装置と各乗り場画像表示装置との間で前記表示データが更新されている最中、乗り場呼びを検出したときに、この乗り場呼びを無視し、前記各乗り場表示装置に、表示データ更新中であることを表示させる手段を備えたことを特徴とする請求項３又は請求項４に記載のエレベータ。
【請求項７】
前記かごに設けられ前記表示データの書き換え開始の指令を与えるための他のスイッチと、
前記かご画像表示装置と各乗り場画像表示装置との間で前記表示データが更新されている最中、乗り場呼びを検出したときに、この乗り場呼びを有効として前記表示制御部による前記表示データの更新を中断し、前記かご画像表示装置及び前記各乗り場画像表示装置の通常使用時の処理が終了した後、前記表示制御部に前記各乗り場表示装置の前記メモリヘの書き換えを再開させる第１の手段と、
前記かご画像表示装置と前記各乗り場画像表示装置との間で前記表示データが更新されている最中、乗り場呼びを検出したときに、この乗り場呼びを無視し、前記各乗り場表示装置に、表示データ更新中であることを表示させる第２の手段と、
前記他のスイッチのスイッチング状態に基づいて、前記第１の手段および前記第２の手段のいずれかを選択して実行する手段と、を備えたことを特徴とする請求項３又は請求項４記載のエレベータ。
【請求項８】
地震や火災を含む災害が発生したことを検知する検知手段と、この災害が発生した時に前記表示制御部による前記表示データの更新を中止する手段と、前記検知手段が平常であることを検知してエレベータの状態を復旧時の状態に戻し、前記表示データの更新を前記表示制御部に再開させる手段と、を更に備えたことを特徴とする請求項１乃至請求項４のいずれかに記載のエレベータ。
【発明の詳細な説明】
【技術分野】
【０００１】
本発明はエレベータに関する。
【背景技術】
【０００２】
エレベータの乗りかご内の乗りかご表示装置や各階乗り場に設けられた乗り場表示装置は、かごの現在階床や方向を表示する他、地震、火災等が発生したときに、エレベータの運転情報を表示するために用いられている。
【０００３】
表示装置には従来、１６セグメントのＬＥＤを使用して数字や文字の表示を実現するセグメント式ＬＥＤ表示装置や、複数個のＬＥＤをドットマトリクス状に並べて配列し数字や記号、長い文字列をスクロールさせて表示するドットマトリクス式ＬＥＤ表示装置が一般に用いられている。
【０００４】
また、表示されるデータを記憶するメモリには、かご表示装置及び各階床の乗り場表示装置に対し挿抜可能に設けられた不揮発性メモリ、例えばフラッシュＲＯＭが用いられている。これらのメモリに記憶された表示データを更新する機会は、エレベータの所有者が標準と違った表示を望んだとき、例えば１階の表示を"１"から"１Ｆ"に変えたいときなどである。従来、表示データ記憶メモリのデータを書き換える際には、保守員がこれらの表示装置のフロントパネルを外して挿抜工具を使って表示データ記憶メモリを取り払い新しいメモリを付け替える交換を行っていた。
【０００５】
図８は従来のエレベータの表示装置を示す図である。表示装置５０はかごと各階の乗り場とにそれぞれ設けられており、画像表示部５１と、表示制御装置部５２とを有する。
【０００６】
この画像表示部５１は、階床を表示する階床表示部５３と、かごの昇降方向を表示する方向表示部５４と、文字情報による運転情報を表示する運転情報表示部５５とを備えている。
【０００７】
表示制御装置部５２は、表示データが記憶されている表示データ記憶メモリ５６と、この表示データ記憶メモリ５６に記憶されたデータを読み出して画像表示データ信号を作成し、画像表示部５１に出力する表示制御部５７とを備えている。また表示制御部５７は、エレベータの主制御盤５８から現在の階床や運転方向等の情報伝達をするための運転情報信号５９を受信する。表示制御部５７はこの運転情報信号５９に含まれる運転情報を抽出し、表示データ記憶メモリ５６から、この運転情報に該当する表示データ信号６０を読み出す。表示制御部５７はこの表示データ信号６０を画像表示データ信号６１に変換し、これを画像表示部５１へ出力し画像を表示する。
【０００８】
図９は従来のエレベータの構成図であり、エレベータの複数階床における乗り場表示装置と、乗りかご表示装置とを中心とした構成を示す図が示されている。同図には各階のうち、ｉ（ｉは１、…、ｎ）階の乗り場ドア６４と、ｎ階の乗り場ドア６５とが示されている。
【０００９】
エレベータ６２は、主制御盤５８と、かご６３と、それぞれ１階からｎ階に至る各階ごとに設けられた乗り場ドアと、信号伝送ケーブル６６とを備えている。
【００１０】
かご６３は、乗りかごドアパネル６３ａと、この乗りかごドアパネル６３ａに対し向かって右方に設けられ、現階床や運転方向などを表示するかご内の表示装置５０と、かご呼びボタン、戸開閉ボタンを表面に設けたかご内操作ボタン装置６３ｃなどを備えている。乗り場ドア６４は、乗降口の縁部を形成する三方枠に囲まれた乗り場ドアパネル６４ａと、三方枠の外方の建物壁体に設けられた乗り場操作ボタン装置６４ｂと、同じく建物の壁体に設けられ、エレベータの運転状況を表示する乗り場側の表示装置５０とを備えている。乗り場ドア６５も、乗り場ドアパネル６５ａ、乗り場操作ボタン装置６５ｂ及び表示装置５０を備えている。
【００１１】
かご、乗り場の表示装置や各ボタンは主制御盤５８と繋がっている。主制御盤５８はエレベータ６２を電気的に制御しながら、運転情報信号６７を各乗り場側の表示装置５０へ送受信している。運転情報信号６７とは、エレベータ６２の階床位置及び昇降方向、各乗り場操作ボタン装置６４ｂ、…、６５ｂの登録状況などといった情報である。かご６３と、各階乗り場側の表示の制御装置とが信号をやり取りするために主制御盤５８まで信号伝送ケーブル６６を建物内に這わせることにより、運転情報信号６７を送受信するようにしている。
【００１２】
各乗り場側の表示装置５０は画像表示部および表示データ記憶メモリ５６（図８）を有する。各画像表示部には液晶が用いられていることが多い。表示データ記憶メモリ５６には表示データが記憶されており、この表示データは書き換えを要することがある。
【００１３】
エレベータにおける表示装置を交換することに関する従来技術として、外部から容易にパターンデータの追加・変更を可能とするエレベータの制御装置が知られている（特許文献１参照）。特許文献１に記載のエレベータの制御装置は、物件固有データ格納メモリと運転制御処理部とを有する主制御装置と、表示装置とで構成されている。この表示装置は、外部から追加・変更可能な表示・音声案内パターンデータを格納するメモリと、実際の運転制御に伴って必要とする表示・音声案内パターンを格納するメモリとを設けている。制御装置は、主制御装置からの指令に基づき、追加、変更された第１のメモリのパターンデータを最適化配列処理し、第２のメモリに反映し、運転制御時に表示・音声出力するようにしている。
【先行技術文献】
【特許文献】
【００１４】
【特許文献１】特開２００７−２５４０３４号公報
【発明の概要】
【発明が解決しようとする課題】
【００１５】
しかしながら、表示データ記憶メモリ５６に記憶された表示データを更新する又は書き換えるためには、それぞれの表示装置５０を収納するボックスのフロントパネルを外して、ボックス中の表示データ記憶メモリ５６を交換しなければならない。このため、交換作業は保守員が表示装置５０ごとに行っており、保守員への負担が大きい。また新規な情報を伝達する場合、表示データ記憶メモリ５６を交換するまでには時間がかかるため、表示装置５０は新鮮な情報を迅速かつ自由に表示することができない。
【００１６】
また、表示装置５０はかご６３内と乗り場各階とに設置されるため、階床の数が多いほど、乗り場側の表示装置５０の設置個数も多くなり、交換対象の表示データ記憶メモリの数も増えることになる。
【００１７】
かご６３と乗り場各階の表示装置５０とはいずれも主制御盤５８と繋がっているため、信号伝送ケーブル６６を介して主制御盤５８から、各表示データ記憶メモリ５６の書き換えを行う手法を用いることも可能である。しかし、信号伝送ケーブル６６による配線は据付工程の工数を増加させ、昇降路内のスペースを有効利用することができない。また信号伝送ケーブル６６の絡まりや、断線など、安全上好ましくない状況に繋がるケースも考えられる。
【００１８】
そこで、本発明は、上記の課題に鑑み、交換対象のメモリの個数にかかわらず書き換え作業を短縮でき、メモリの据付工数を短縮し、ケーブル絡まりや断線といった安全上好ましくない状況の発生を防ぐことが可能なエレベータを提供する。
【課題を解決するための手段】
【００１９】
このような課題を解決するため、本発明の一態様によれば、かごと、このかごに設けられ情報を表示するかご画像表示装置と、各階の乗り場に設けられた乗り場画像表示装置と、前記かご画像表示装置あるいは各乗り場画像表示装置が表示する表示データを記憶する書き換え可能なメモリと、このメモリに記憶させる前記表示データを作成する表示制御部と、前記かご画像表示装置又は前記各乗り場画像表示装置に表示させるための表示データを内部に記憶した携帯端末と、この携帯端末との間で無線通信を行う送受信部と、を備え、この送受信部は前記携帯端末からの前記表示データを含む無線信号を受信復調して前記表示データを抽出し、前記表示制御部はこの表示データを前記メモリに書き込むことを特徴とするエレベータが提供される。
【発明の効果】
【００２０】
本発明によれば、交換対象のメモリの個数にかかわらず書き換え作業を短縮でき、メモリの据付工数を短縮し、安全上好ましくない状況の発生を防ぐことができるようになる。
【図面の簡単な説明】
【００２１】
【図１】本発明の第１の実施形態に係るエレベータの概略構成断面図である。
【図２】図１に示す乗りかご表示装置のブロック図である。
【図３】図２に示す乗りかご表示装置の動作を説明するためのフローチャートである。
【図４】本発明の第２の実施形態に係るエレベータの概略構成図である。
【図５】図４のエレベータの要部ブロック図である。
【図６】２つの表示装置間の無線通信による表示データの書き換え方法を説明するためのフローチャートである。
【図７】未書き込み階床用のデータが存在したときの主制御装置による書き込み可否の処理方法を説明するためのフローチャートである。
【図８】従来のエレベータの表示装置を示す図である。
【図９】従来のエレベータの構成図である。
【発明を実施するための形態】
【００２２】
以下、本発明の実施の形態に係るエレベータについて、図１乃至図７を参照しながら説明する。尚、各図において同一箇所については同一の符号を付すとともに、重複した説明は省略する。
【００２３】
（第１の実施形態）
図１は本発明の第１の実施形態に係るエレベータの構成図である。エレベータ１は、昇降路２内に設置されたかご３と、メインロープ４が巻き掛けられる巻上機５と、昇降路２内に設けられたカウンターウェイト６と、かご３の運転を制御する主制御装置７を収納した主制御盤８とを備えている。かご３の内部にはかご内操作盤９が設けられており、かご内操作盤９と主制御盤８とは図示しないテールコードによって接続されており互いに制御信号を伝達可能にされている。かご内操作盤９には、乗りかご表示装置１０が設けられている。
【００２４】
図２は乗りかご表示装置１０のブロック図である。乗りかご表示装置１０は液晶表示器により情報を表示し、この液晶表示器が表示する表示データを、携帯端末１１が送信する無線信号に含まれる表示データによって更新することを可能にされている。乗り場かご表示装置１０は、階床や運転方向、防犯用カメラ映像や、防災上の情報を表示する。
【００２５】
携帯端末１１は携帯電話機である。携帯端末１１は、アプリケーションを記憶する内部メモリ１１ａと、この内部メモリ１１ａを管理し、端末各部を制御する制御部１１ｂと、アンテナ１１ｃを有し無線信号を送受信する無線送受信部１１ｄと、テンキーなどを有し暗証番号の入力等を行うための操作部１１ｅと、情報を表示する図示しないディスプレイや、スピーカ、マイク及び音声処理回路等とを備えている。
【００２６】
内部メモリ１１ａには、乗りかご表示装置１０に表示させる情報を無線通信によって書き換えるためのソフトウェアがインストールされている。このソフトウェアは操作部１１ｅを介して入力された文字列などの情報を乗りかご表示装置１０が表示可能な表示データに変換し、この表示データを一時的に内部メモリ１１ａに書き込む機能を有する。ソフトウェアが表示データを無線送受信部１１ｄに出力すると、無線送受信部１１ｄが、この表示データを乗りかご表示装置１０に設けられた後述する無線送受信回路に対して送信するようになっている。内部メモリ１１ａには、携帯端末１１のＩＤコードが保持されている。
【００２７】
乗りかご表示装置１０は、画像を表示する画像表示部１２と、この画像表示部１２に対して表示のオペレーションを行う表示制御装置１３と、携帯端末１１から無線信号を受信し復調して受信データを出力するとともに無線端末装置の認証を行う送受信部１４とを備えている。
【００２８】
画像表示部１２は、液晶パネルや有機ＥＬディスプレイパネル、電子ペーパなどの表示素子と、表示素子を駆動する駆動回路とを備えている。表示制御装置１３は、表示データを記憶する表示データ記憶メモリ１５（メモリ）と、画像表示部１２の表示を制御し、表示データ記憶メモリ１５へのアクセスを制御し、表示データ記憶メモリ１５の表示データを書き換える表示制御部１６とを備えている。表示データ記憶メモリ１５は書き換え可能なメモリであり、不揮発性の記憶素子が用いられている。
【００２９】
表示制御部１６が行う制御の内容は、乗りかご表示装置１０の状態を管理すること、画像表示部１２に表示データ記憶メモリ１５の表示データを表示させること、表示データ記憶メモリ１５の表示データを更新すること、かご３内に設けられた画像表示装置と各乗り場に設けられた画像表示装置との間で表示データが更新されている最中に、乗り場呼びを検出したときに表示データの更新を中断すること、及び各階の乗り場表示装置３１の通常使用状態が終了後、表示データ記憶メモリ１５への書き換えを再開すること等である。送信側からの書き込みに対して受信側が交信することを拒否することや、通信トラブルなどで未書き込みの状態になる等、表示データを受け入れる側の状況が万全ではないときは、表示データの書き込みの中断や再開を行えるようにされている。表示制御部１６にはＣＰＵ、ＲＯＭ及びＲＡＭが用いられている。表示制御部１６は、この表示制御部１６が表示データの受け入れの可否を示すフラグを表示データ記憶メモリ１５の所定記憶領域に書き込むようにしている。
【００３０】
送受信部１４は、携帯端末１１との間で無線データを送受信する。送受信の機能は、無線周波数の選択、同期信号の抽出、アクセスチャネルの選択、無線信号の送信タイミングの決定などを含む。送受信部１４及び携帯端末１１の間でこれらが互いに通話しているときに、伝送するデータ中に表示データを挿入された無線信号を携帯端末１１が送受信部１４へ送信するようにしている。また、送受信部１４は無線端末の認証処理を行う。この認証処理は、無線アクセスをしてきた無線端末装置に対しこの無線端末装置がアクセスを許可した端末装置であるかどうかを認証する処理である。
【００３１】
一例として、送受信部１４は、送受信アンテナ１４ａと、データを変調して無線信号を送信し携帯端末１１からの無線信号を受信及び復調しベースバンド信号を出力する図示しない高周波無線回路と、ベースバンド信号に含まれる伝送データに挿入された表示データを抽出するベースバンド回路と、高周波無線回路の送受信動作を制御する制御回路と、送受信部１４自身のＩＤ及びこの送受信部１４に対するアクセスを許可された端末のＩＤコードを保持するＩＤ保持部とを備えている。送受信部１４としては、携帯端末１１の通信相手となりうる無線基地局に搭載される送受信回路と同じ送受信回路が用いられる。
【００３２】
乗りかご表示装置１０において、表示データ記憶メモリ１５から、記憶データ信号１７が表示制御部１６に読み込まれ、表示制御部１６によりこの記憶データ信号１７から表示データが作成される。作成された表示データは画像表示データ信号１８として表示制御部１６から画像表示部１２に出力され、画面に表示されるようになっている。
【００３３】
即ち、本実施形態に係るエレベータ１における乗りかご表示装置１０は、表示制御装置１３が携帯端末１１と無線通信を行う送受信部１４を備え、表示制御部１６が送受信部１４を介して携帯端末１１からの表示データを受信すると、表示データを表示データ記憶メモリ１５に書き込む。また、表示データ記憶メモリ１５は認証データを保存する領域を備え、携帯端末１１は表示データと認証データとを記憶する内部メモリ１１ａを備えており、携帯端末１１から送受信部１４に送られた認証データと、乗りかご表示装置１０の認証データとが一致した時、表示制御部１６は認証が成功したと判定する。認証が成功した場合、表示制御部１６は認証が成功したとき以降、受信したデータを用いて書き込み処理を行うようにしている。
【００３４】
また、表示データ記憶メモリ１５に対する外部の携帯端末１１を使った表示データの書き込み方法は、操作部１１ｅが表示すべき情報を制御部１１ｂに入力し、この制御部１１ｂが乗りかご表示装置１０のメモリ更新用の表示データを、内部メモリ１１ａに書き込む。操作部１１ｅは制御部１１ｂに対して表示すべき情報を乗りかご表示装置１０に対して送るよう指令し、制御部１１ｂは無線送受信部１１ｄに対しこの無線送受信部１１ｄと乗りかご表示装置１０の送受信部１４との間に無線リンクを設定するよう指令する。無線送受信部１１ｄは、内部メモリ１１ａに記憶された表示データをユーザデータ領域に挿入し、このユーザデータ領域を含む送信データを変調して無線信号を送信する。
【００３５】
また、本エレベータ１における乗りかご表示装置１０は、携帯端末１１と無線通信をするために送受信部１４を備え、携帯端末１１から表示データを含む無線信号１９を受信する。送受信部１４において表示データを含む無線信号１９は受信処理され、送受信データ信号２０として表示制御部１６に入力され、この送受信データ信号２０は表示制御部１６を介して表示データ記憶メモリ１５に書き込まれるようになっている。
【００３６】
図３は乗りかご表示装置１０の動作を説明するためのフローチャートである。このような構成の乗りかご表示装置１０が携帯端末１１を使って表示データ記憶メモリ１５へ表示データを書き込む方法の詳細について図３を参照して説明する。
【００３７】
ステップＳ０において、表示制御部１６は主制御装置７からの信号を受けて、乗りかご表示装置１０の状態を、エレベータ１の通常運転中の初期状態に設定する。この初期状態においては、乗りかご表示装置１０は携帯端末１１からの無線信号の受信を待ち受けている。携帯端末１１は乗りかご表示装置１０へ表示データの送信開始信号を送る。ステップＳ１において、乗りかご表示装置１０が携帯端末１１から送信開始信号を受信すると、ステップＳ２に進む。
【００３８】
ステップＳ２において、表示制御部１６は表示データ記憶メモリ１５の表示データが画像表示部１２により読み出されている最中であるかどうかなど、表示データ記憶メモリ１５の状態を監視しながら、この表示データ記憶メモリ１５が表示データを受信可能であるかどうかを判断する。ステップＳ２において、乗りかご表示装置１０の状態が受信可能な状態でないと表示制御部１６が判定した場合、ＮＯルートを通り、ステップＳ３において、表示制御部１６は送受信部１４に対して携帯端末１１へ受信不可を示すメッセージを送信するよう指令する。このメッセージを送信した後、ＣＰＵタイマにより決められた時間内に携帯端末１１からの無線信号を送受信部１４が受信できない場合、送受信部１４は携帯端末１１に受信不能である旨のメッセージ信号を送り、表示制御部１６は乗りかご表示装置１０の状態を初期状態に戻す。
【００３９】
また、ステップＳ２において、乗りかご表示装置１０の状態が受信可能状態である場合、ＹＥＳルートを通り、ステップＳ４において、表示制御部１６は、表示制御装置１３が表示データを受け入れるか否かを示すフラグを表示データ記憶メモリ１５内の所定領域に立ててフラグＯＮにする。
【００４０】
ステップＳ５において、表示制御部１６は、ＩＤ番号及び暗証番号を要求するメッセージを携帯端末１１に送るよう送受信部１４に指令する。送受信部１４はこのメッセージを無線送信する。ステップＳ６において、乗りかご表示装置１０は携帯端末１１からの無線信号の受信を待ち受ける（ＮＯルート）。
【００４１】
ステップＳ６において、送受信部１４が、携帯端末１１から送られたこの携帯端末１１の内部メモリ１１ａに記憶された端末のＩＤ番号と端末の暗証番号とを受信すると、ＹＥＳルートを通り、ステップＳ７に進む。ステップＳ７において、表示制御部１６は、予め通信を許可した端末の暗証番号と、受信した暗証番号とが一致するかどうかを比較し、２つの暗証番号が一致した場合、予め通信を許可した端末のＩＤ番号と、受信したＩＤ番号とを照合する。
【００４２】
ステップＳ７において、２つのＩＤ番号が一致した場合、そのＩＤ番号を持つ端末の認証が成功したと表示制御部１６は判定する。認証が成功した場合、ＹＥＳルートを通り、ステップＳ８において、表示制御部１６は送受信部１４に対し、携帯端末１１へ書き換え用の表示データを送信するよう要求する。ここで、ステップＳ７において、２つの暗証番号が一致していない場合及び２つのＩＤ番号が一致していない場合のいずれの場合もＮＯルートを通り、ステップＳ５の処理を表示制御部１６は行う。再度、ＩＤ番号と暗証番号との送信要求を行うよう表示制御部１６は送受信部１４に対して指令する。
【００４３】
一方、携帯端末１１の状態は、書き換え用の表示データを乗りかご表示装置１０へ送信可能な状態にされており、乗りかご表示装置１０からの送信要求を待っている。乗りかご表示装置１０が携帯端末１１から受信した表示データに付されていたＩＤ番号が、直前にこの乗りかご表示装置１０側で確かめられたＩＤ番号と同一のものであることを乗りかご表示装置１０側が確かめるようにするため、携帯端末１１は、ＩＤコード付きの書き換え表示データを送信する。
【００４４】
ステップＳ９において、乗りかご表示装置１０の送受信部１４は、携帯端末１１から、ＩＤコード付きの書き換え表示データを受信する。ステップＳ１０において、表示制御部１６は、表示データ記憶メモリ１５に記憶してあるＩＤコードと、携帯端末１１から受信したＩＤコードとを比較する。ステップＳ１０において、これらのＩＤコードが一致した場合、ＹＥＳルートを通り、ステップＳ１１において、表示制御部１６は、受信したＩＤコード付きの書き換え表示データを用いて表示データ記憶メモリ１５中の所定領域にデータ書き込みを行い、ステップＳ１３に進む。また、ステップＳ１０において、２つのＩＤコードが一致しない場合、ＮＯルートを通り、ステップＳ１２において表示制御部１６は、画像表示部１２にエラーを表示させる。エラーを画面に表示した後、表示制御部１６は乗りかご表示装置１０の状態を初期状態に戻す。
【００４５】
ステップＳ１３において、表示制御部１６は、ステップＳ４において表示制御装置１３の表示データの受け入れ可否を示すフラグをＯＮにしてから、ＣＰＵタイマにより予め決めた時間を経過しているかどうかを判定する。所定時間を経過する前である場合、ＹＥＳルートを通り、ステップＳ１４において、表示制御部１６は、表示データの書き換えが完了したと判定して処理を終える。ステップＳ１３において、所定時間を過ぎた場合、書き換えが完了しなかったと表示制御部１６は判定し、ＮＯルートを通り、表示制御部１６はこれまでの作業を中断し、乗りかご表示装置１０の状態を初期状態に戻す。
【００４６】
このようにして、本実施形態に係るエレベータ１では、乗りかご表示装置１０が携帯端末１１と無線通信するため、少ない作業量で迅速かつ容易に表示データ記憶メモリ１５の内容を書き換えることができるようになる。交換対象のメモリの個数にかかわらず容易に書き換えを行える。書き換え作業を効率的に行えるようになる。
【００４７】
従来、液晶表示器用の表示データの書き換えは、保守員がかご内操作盤９を覆うフロントパネルを開けてメモリの交換をしていたが、本実施形態に係るエレベータ１の乗りかご表示装置１０によればこのようなメモリ交換といった作業を不要とし、メモリ交換の作業工程を簡略化することができるようになる。作業のためエレベータ１を長時間停止させずに表示データの書き換えが行える。
【００４８】
また乗りかご表示装置１０では、従来書き換え作業を行っていた保守員やエレベータ管理者だけでなく建物の利用者が表示データの書き換えを行うこともできるようになる。この場合には、建物の利用者は予め表示データを書き換える権限を有するようにしておく。
【００４９】
これによって新鮮で多様な情報の表示が可能になる他、携帯端末１１を使うことで、例えばデパートの各店舗がその日のお勧めの商品を知らせたり、マンションの各住人が今日の一風景や、ペットの画像を載せたり、お知らせ掲示板として利用ができるなど、建物の利用者が主体となった情報の提供が可能になる。
【００５０】
また、本実施形態に係るエレベータ１では、多くの人が使える携帯電話を使ってエレベータ液晶表示データの書き換えを行える。この際に携帯端末３にソフトウェアをインストールしておき、携帯端末３の文字や画像情報あるいは音楽をエレベータ１の乗りかご表示装置１０内の表示データ記憶メモリ１５に転送させて液晶表示を行うこともできる。
【００５１】
表示データへのアクセスに何ら制限が加えられていない場合、多数者が書き込みを行って表示される情報が氾濫すること、あるいは正当な書き込み権限を有する者が携帯端末３を紛失後書き込み権限のない他人がこの携帯端末３を拾得して使って情報書き込みを行うことが起きる可能性がある。情報が氾濫すること、あるいは不適切な使用により表示データ記憶メモリ１５の書き換えが行われることが発生する可能性がある。この可能性を防ぐため、暗証番号やＩＤを使ってこのメモリへのアクセス制限をかけること及び利用者管理が行われるため、データアクセス上の安全性も確保される。
【００５２】
（第１の実施形態の第１変形例）
上記実施形態では、エレベータ表示装置が乗りかご表示装置として構成されており、携帯端末１１から乗りかご表示装置１０に表示データを送る場合を想定したものであったが、エレベータ表示装置は、乗り場表示装置として構成されてもよい。エレベータ表示装置が乗り場表示装置である場合における乗り場表示装置の構成及び表示制御方法は、エレベータ表示装置が乗りかご表示装置１０である場合における乗りかご表示装置１０の構成及び表示制御方法と実質同じである。本発明の第１の実施形態の第１変形例に係るエレベータの構成及び方法は、第１の実施形態の例と同様、携帯端末１１が表示データの無線による書き換えを可能にされている。
【００５３】
本変形例に係るエレベータ１Ａは、図１のかご３が停止する複数の階床の各乗り場２１にそれぞれ設けられ、乗り場２１の待ち客に対して情報を表示する乗り場表示装置２２を備えている。この乗り場表示装置２２は、各階の乗降口２１ａの上方の上枠に、あるいは各階の乗り場２１ｂ傍らの壁体に設けられた操作盤と一体的に取り付けられている。乗り場表示装置２２は、上記画像表示部１２と同じ画像表示部と、上記送受信部１４と同じ送受信部と、上記表示制御装置１３と同じ機能を有し上記表示データ記憶メモリ１５と同じ構成の表示データ記憶メモリ２３を有する表示制御装置とを備えている。携帯端末１１は乗り場表示装置２２との間で無線信号を送受信する。
【００５４】
このような構成のこの変形例に係るエレベータ１Ａにおいて表示データを書き換える場合、利用者は予め携帯端末１１のソフトウェアに表示させようとする情報を操作入力しておく。この利用者は乗り場２１ｂに赴き、携帯端末１１を乗り場表示装置２２へ向けて操作すると、携帯端末１１はこの乗り場表示装置２２の送受信部１４と通信を開始する。乗り場表示装置２２が携帯端末１１に対し認証処理を成功裏に終えると、携帯端末１１に対し表示データの送信を要求する。携帯端末１１は、表示データを乗り場表示装置２２へ送る。乗り場表示装置２２の表示制御装置１３はこの表示データを表示データ記憶メモリ２３に書き込む。
【００５５】
この変形例に係るエレベータ１Ａによれば、やはり携帯端末１１を使って表示データ記憶メモリ２３を簡易に書き換え可能になる。かご３側のメモリ書き換えに用いる携帯端末１１と同じ携帯端末１１を使ってかご３側の例と同じ操作内容でデータ書き込みを行える。
【００５６】
エレベータ１Ａが設置された建屋の住人やこのエレベータ１Ａの所有者は、情報を乗り場表示装置２２に表示させる場合、携帯端末１１を乗り場表示装置２２に向けて簡便な操作を行うだけで表示データを更新できる。店舗の経営者が店舗の現在の売り出したい内容やその日のニュースを掲載するといった建物のテナントのストーリを知らせることができる。マンションの管理者は、マンションの色々な情報を知らせる。何か催しものが行われるといった情報を、管理者が立つ乗り場の階床の乗り場表示装置２２の送受信部１４に送ることにより、情報を同じ階床の住民に広く告知することができる。
【００５７】
（第１の実施形態の第２変形例）
上記第１の実施形態の乗りかご表示装置１０内の送受信部１４を主制御盤８の中、あるいはエレベータ１、１Ａの図示しない監視室に設けておき、権限を付与された端末を持つ人が主制御盤８内又は監視室の送受信部１４に携帯端末１１からデータを送信するようにしてもよい。主制御盤８等に対して更新用の表示データを送り、主制御装置７からかご３の乗りかご表示装置１０や乗り場表示装置２２へ送るようにしてもよい。このようにしても、利用者側が自由にデータを書き換えることができるようになる。
【００５８】
（第２の実施形態）
各乗り場やかご内の液晶表示器への表示データ書き換え方法としては他にも考えられる。本発明の第２の実施形態に係るエレベータは、かごと各階ＨＩＢ（ホールインジケータボタン）との間でデータを無線により送受信し、かごがデータを受信した後、このかごが各階へ走行する時、かごが無線により各階の乗り場の受信装置へデータを送信するようにしている。
【００５９】
図４は本実施形態に係るエレベータの構成図である。同図中、既に説明した符号を付した要素はそれらと同じ要素を表す。エレベータ２４は、複数の階床からなる建屋の昇降路２５を昇降するかご２６と、メインロープ４が巻き掛けられる巻上機５と、昇降路２５内に設けられたカウンターウェイト６と、昇降路２５に設けられ、主制御装置２７を有する制御盤２８とを備えている。かご２６はメインロープ４の一端に固定されてこのメインロープ４により吊られており、このかご２６は、巻上機５のモータを介して反対側のカウンターウェイト６とバランスをとっている。
【００６０】
エレベータ２４において、書き換え対象のメモリは、かご２６側の乗りかご表示装置２９内の表示データ記憶メモリ３０、及びそれぞれ各階乗り場２１の乗り場表示装置３１内に設けられた複数の表示データ記憶メモリ３２である。ここで乗りかご表示装置２９は、かご内操作盤に取り付けられかご２６の現在位置や走行方向を液晶表示するものである。
【００６１】
また、主制御装置２７はエレベータ全体の運転制御を行う演算装置であり、ＣＰＵ、ＲＯＭ及びＲＡＭからなる。ＣＰＵがプログラムを実行することにより運転制御が行われる。主制御装置２７は図示しないテールコードを介してかご２６内の操作盤との間で信号を伝達可能にされている。主制御装置２７は建屋の壁体内部に伝送信号ケーブルを配線することにより各階の乗り場操作盤とも接続されている。主制御装置２７は巻上機５のモータに取り付けられたエンコーダから、回転数に応じたパルス信号を解析処理し、かご２６の現在位置を常に得られるようになっている。主制御装置２７はかご２６のかご位置や昇降速度の検出、巻上機５のモータに対する速度指令の実行、及び呼び登録処理を行えるようになっている。
【００６２】
かご２６は更に、乗りかご表示装置２９に設けられ携帯端末１１との間で無線通信可能な乗りかご表示装置送受信部３３と、乗りかご表示装置２９に設けられ表示データの書き換え開始の指令を与えるためのスイッチ３４と、床下に取り付けられかご２６内の荷重を検出する荷重検出装置３５とを有する。
【００６３】
図５は乗りかご表示装置２９と乗り場表示装置３１とを含むエレベータ２４の要部ブロック図である。同図に示す符号のうちの上述した符号と同じ要素はそれらと同じ要素を表す。
【００６４】
乗りかご表示装置２９は、画像表示部３６と、この画像表示部３６が表示する表示データを記憶する表示データ記憶メモリ３０と、画像表示部３６の表示を制御し、表示データ記憶メモリ３０へのアクセスを制御し、表示データ記憶メモリ３０の表示データを書き換える表示制御部３７と、乗りかご表示装置送受信部３３とを備えている。
【００６５】
画像表示部３６は、液晶表示器と、表示データ記憶メモリ３０から表示データを読み込み、この表示データを液晶表示器の駆動用のデータに変換して出力する駆動回路とを備えている。表示データ記憶メモリ３０は不揮発性の記憶素子である。表示制御部３７はＣＰＵ、ＲＯＭ及びＲＡＭからなる。
【００６６】
乗りかご表示装置送受信部３３は、携帯端末１１及びそれぞれ各階の乗り場２１に設置された各階乗り場表示装置３１内の送受信器との双方と無線通信を行う回路である。乗りかご表示装置送受信部３３は、無線アクセスをしてきた無線端末に対しこの無線端末がアクセスを予め許可した無線端末であるか、あるいは乗り場表示装置３１内の送受信器であるかどうかを認証する機能も有する。乗りかご表示装置送受信部３３は、この乗り場表示装置送受信部３３と携帯端末１１との間の無線リンクを確立するための無線周波数を決定し、無線信号を決められたタイミングで送信するようにしている。
【００６７】
一例として、乗りかご表示装置送受信部３３は、送受信アンテナ３３ａと、データの変調、無線信号の送信、無線信号の受信及び復調、ベースバンド信号の出力を行う図示しない高周波無線回路と、ベースバンド信号に含まれるユーザデータ領域から表示データを抽出するベースバンド回路と、高周波無線回路の送受信動作を制御する制御回路と、乗りかご表示装置送受信部３３自身のＩＤ、及びこの乗りかご表示装置送受信部３３との無線通信を許可された無線端末あるいは乗り場表示装置３１内の送受信器のＩＤコードを保持するＩＤ保持部とを備えている。乗りかご表示装置送受信部３３の機能は、無線基地局に搭載される送受信回路と同じ送受信回路によって実現される。
【００６８】
また、図４のスイッチ３４は、表示データの書き換え処理の開始を、乗りかご表示装置２９に指令するための機械式のスイッチである。このスイッチ３４のスイッチング状態は主制御装置２７により監視されており、主制御装置２７はこのスイッチング状態に応じてエレベータ２４の運転モードを各停運転モードに切り替え可能になっている。各停運転とは、かご３が目的階に到着するまでの全階床において、かご３を一旦戸開応答させる運転を指す。
【００６９】
荷重検出装置３５は、かご２６の床下に設けられており、かご２６の荷重を荷重信号に変換して出力するものであり、リニアフォーマが用いられている。リニアフォーマは、図示しないコイルと、このコイル内を挿通する細長のコアと、それぞれこのコアの上端部及び下端部に取り付けられた一対の取り付け座とから構成されており、コイルとコアとの間の相対的な位置変化に基づいて、積載荷重量に応じた電圧信号を出力する。この電圧信号は主制御装置２７によって監視されており、主制御装置２７は荷重検出装置３５からの電圧信号によってかご２６内に人がいるかどうかを判断できるようになっている。
【００７０】
また、図５に示すｉ（ｉは１、…、ｎ）階の乗り場表示装置３１は、かご２６の現在位置、停止階や運転方向などの各種情報を液晶表示する乗り場画像表示部３８と、この乗り場画像表示部３８に表示させる表示データを記憶する表示データ記憶メモリ３２と、送受信アンテナ３９ａにより乗りかご表示装置送受信部３３との間で無線通信を行う乗り場表示装置送受信部３９と、壁体内の配線を介して主制御装置２７との間で信号を伝達可能にされ、乗り場画像表示部３８、表示データ記憶メモリ３２へのアクセス及び乗り場表示装置送受信部３９をそれぞれ制御する表示制御部４０とを備えている。
【００７１】
乗り場画像表示部３８は、液晶表示器と、表示データ記憶メモリ３２から表示データを読み込み、この表示データを液晶表示器駆動用のデータに変換して出力する駆動回路とを備えている。表示データ記憶メモリ３２は、表示データ、階床間で乗り場表示装置３１を識別するためのＩＤ番号、暗証番号などの記憶領域を有する。乗り場表示装置送受信部３９の構成は、乗りかご表示装置送受信部３３の構成と実質同じである。
【００７２】
表示制御部４０は、ＣＰＵ、ＲＯＭ、ＲＡＭからなり、表示データ記憶メモリ３２へ表示データを書き込む処理を行う。表示制御部４０は、表示データ記憶メモリ３２に記憶された表示データが書き換え可能であるいは表示データは書き込み不要であることなどの表示データの状態を、主制御装置２７又は乗りかご表示装置送受信部３３に対して通知可能になっている。この表示制御部４０は、表示データ記憶メモリ３２に表示データを書き込みしている最中に、主制御装置２７から、制御用の信号を受信した場合、データ書き込みの処理中であっても書き込み処理を中断することを可能にされている。
【００７３】
各乗り場２１にはいずれも図５の例と同じ構成を有する乗り場表示装置３１が設けられている。エレベータ運転が各停運転にされると、ｎ階から１階の各階にかご２６が下降し停止する。停止階に設けられた乗り場表示装置３１の乗り場表示装置送受信部３９は、乗りかご表示装置送受信部３３から無線によって更新や書き換え用の表示データを受信可能するようにしている。かご２６の乗りかご表示装置２９が、乗り場表示装置３１から書き換え完了の通知を受信すると、主制御装置７はかご２６を更に１階下の階床に下降させ、同様の書き込み処理を、乗りかご表示装置２９及び乗り場表示装置３１間で行わせる。主制御装置７は、１階からｎ階までの各階にかご２６が上昇させて同様の書き込み処理を行ってもよい。特定階から同様の書き込み処理を開始させてもよい。
【００７４】
かご２６と乗り場２１とにそれぞれ設けられた送受信部同士が無線通信４１を行う際、乗りかご表示装置２９は、各階の乗り場表示装置３１に対して無線アクセス要求を送信し、この要求に対する無線アクセス応答のメッセージ内に、２つの送受信部の間で使われる無線周波数を含めるなどして、これらの送受信部の間で使用周波数が割り当てられるようにされている。かご２６側の送受信部と、乗り場２１側の送受信部との間で通話が可能な状態になるようにされている。
【００７５】
図６は２つの表示装置間の無線通信による表示データの書き換え方法を説明するためのフローチャートである。エレベータ２４による詳しい表示メモリの書き換え方法を図６、図７を参照して説明する。
【００７６】
携帯端末１１から乗りかご表示装置２９内の表示データ記憶メモリ３０の書き換えを行う方法は第１の実施の形態で述べたとおりである。乗りかご表示装置２９がこの更新された表示データ記憶メモリ３０を使って各階の乗り場表示装置３１の表示データ記憶メモリ３２を書き換えるため、本実施形態に係るエレベータ２４は以下のような処理を行う。
【００７７】
ユーザ操作によりスイッチ３４へ表示データの書き換え開始の指令が与えられると、スイッチ３４のスイッチング状態を主制御装置２７が読み込む。ステップＳ１５において、主制御装置２７はエレベータ２４の運転モードを通常運転モードから２つの表示装置が対向通信する無線通信モードに切り替える。
【００７８】
ステップＳ１６において、主制御装置２７は、乗りかご表示装置２９に対話画面を表示させる。乗りかご表示装置２９の表示制御部３７は、表示データの書き換え中に乗り場呼びを許可するか、あるいは乗り場呼びを無視するかを、かご室又は乗り場２１の利用者に選択させる旨の内容を画像表示部３６に表示させる。この画像表示部３６は選択を促す内容を表示する。これにより、階床ボタンで選択させ、戸開閉ボタンで決定させ、あるいはキャンセルを行わせるというような手順を設けることでエレベータ２４及び利用者間の対話機能が実現される。
【００７９】
表示内容を確認した利用者は操作盤のボタンを押下する。ボタン類への操作内容をかご側の表示制御部３７は読み込む。表示制御部３７は、表示データ書き換え中に乗り場呼びを無視するかあるいは許可するかをステップＳ１６にて選択する。この後、ステップＳ１７において、エレベータ２４に乗客がいないかどうかを表示制御部３７は判定する。ステップＳ１８において、表示制御部３７はいずれかの乗り場２１から乗り場呼びが登録されたかどうかを主制御装置２７からの情報で判定する。ステップＳ１９において表示制御部３７は、ステップＳ１６において選択された乗り場呼びを無視することを、この表示制御部３７としてのＣＰＵはＲＡＭ上のプログラムに組み込む。
【００８０】
エレベータ２４に乗客がおらず、且つ乗り場呼びが登録されていない場合、ステップＳ１７のＹＥＳルート、ステップＳ１８のＹＥＳルート及びステップＳ１９のＹＥＳルートをそれぞれ通り、ステップＳ２１において主制御装置２７は、エレベータ２４の運転モードを各階停止運転モードに変える。かご２６の走行状態は各階ずつ昇降する各停運転の状態にされる。
【００８１】
エレベータ２４に人がおらず、且つ乗り場呼びが登録されている場合も、ステップＳ２１に進み、主制御装置２７は、エレベータ２４の各階に停止する運転を行う。
【００８２】
また、ステップＳ１７において、エレベータに人がいる場合、ＮＯルートを通り、ステップＳ１７の処理が繰り返される。主制御装置２７は人が降りるまで待ってからエレベータ２４の各階停止運転（Ｓ２１）を開始する。
【００８３】
また、ステップＳ１８において乗り場呼びがあったときに、ステップＳ１６において乗り場呼びを無視することが選択されて、無視することがプログラムに組み込まれている場合も、ステップＳ１９のＹＥＳルートを通り、ステップＳ２１において主制御装置２７はエレベータ２４の各階停止運転を始める。ステップＳ１８において乗り場呼びがあったときに、ステップＳ１６において乗り場呼びを無視せず許可することが選択されている場合、ステップＳ１９のＮＯルートを通り、ステップＳ２０において表示制御部３７はエレベータ２４の通常使用を終了させる。つまり画像表示部３６は通常時の画像情報の表示を停止する。この後表示制御部３７及び主制御装置２７はステップＳ１７から処理を行う。
【００８４】
ステップＳ２１にてエレベータ２４が各階停止運転を始めた後、かご２６の停止位置を主制御装置２７は求める。ステップＳ２２において、かご２６が停止した階における乗り場表示装置送受信部３９と、乗りかご表示装置送受信部３３とが通信可能であるかどうかを表示制御部３７は判定する。通信が行われた結果、乗り場表示装置３１側の表示データ記憶メモリ３２に問題がなく、この表示データ記憶メモリ３２に表示データを書き込むことが可能であると判明した場合、表示制御部３７は表示データの送信が可能と判断する。送信可能である場合、ＹＥＳルートを通り、ステップＳ２３において、表示制御部３７は乗りかご表示装置送受信部３３に対し、該当階への表示データを送信させる。
【００８５】
乗りかご表示装置送受信部３３は該当階の乗り場表示装置送受信部３９と通信し、該当階の表示制御部４０は表示データ記憶メモリ３２の表示データを書き換える。
【００８６】
この書き換え処理では、認証用データが表示データと一緒にされて乗りかご表示装置２９から乗り場表示装置３１へ送られる。乗り場２１側の表示制御部４０がかご２６側の表示制御部３７に対し、表示データと、認証用のＩＤ番号及び暗証番号とを送信するよう要求する。この要求に対する応答として、乗り場表示装置送受信部３９は、乗りかご表示装置送受信部３３から、表示データ、かご２６のＩＤ番号、及びかご２６の暗証番号を受信する。表示制御部４０は、２つの暗証番号を一致比較した後、内蔵メモリ内に登録してある通信可とした端末又は装置のＩＤ番号と、かご２６からのＩＤ番号とを一致比較する。２つのＩＤ番号が一致すると、表示制御部４０は受信済みの表示データにより古い表示データを更新する。
【００８７】
書き込みが完了した旨を乗り場表示装置送受信部３９から乗りかご表示装置送受信部３３が受信すると、この旨の信号が表示制御部３７に通知される。ステップＳ２４において、表示制御部３７は、書き込み完了階を登録する。この登録は、表示制御部３７内に設けられたＲＡＭのメモリ領域にデータを、情報読み書き手段としてのＣＰＵが書き込むことにより行われる。このメモリ領域には、各階床と、階床毎に表示データが書き込み済みであるか、又は未書き込みであるかを表す状態とが対応付けられて記憶されている。
【００８８】
ステップＳ２５において、表示制御部３７は、全階床のうちの書き込みを行われていない階床に設けられた乗り場表示装置３１の中に、未書き込み階床が存在するかどうかを判断する。未書き込み階床とは、未だ新しい表示データによって書き込みされていない表示データ記憶メモリ３２を持つ乗り場表示装置３１が設置された階床である。この判断も表示制御部３７内のＲＡＭのメモリ領域をＣＰＵがサーチすることにより行われる。
【００８９】
図７は未書き込み階床用のデータが存在したときの表示制御部３７による書き込み可否の処理方法を説明するためのフローチャートである。表示制御部３７は前段の処理（ステップＳ２４）にて書き込みが完了済みの階床の階番号をＲＡＭに登録しており、この登録後、ステップＳ１２９において、表示制御部３７は未書き込み階床用のデータが残っているかどうかを判定する。未書き込み階床用のデータが残っている場合、ＹＥＳルートを通り、ステップＳ１３０において、表示制御部３７は、このデータを書き込まれるべき未書き込み階床に設置された乗り場表示装置３１がデータ書き込み可能であるかどうかを判定する。
【００９０】
該当階床に設置された乗り場表示装置３１に表示データ記憶メモリ３２などの問題がない場合、表示制御部３７は、この階床は問題がなくデータ書き込み可能であると判断する。ＹＥＳルートを通り、ステップＳ１３１において、表示制御部３７は、乗り場表示装置３１に対し、未書き込み階床用のデータを書き込むよう指令する。乗りかご表示装置１０６は表示データ記憶メモリ３２を書き換える。これによって未書き込み階床の乗り場表示装置３１の表示データが更新される。
【００９１】
また、ステップＳ１２９において、データ書き込み可能な階床が存在している間、表示制御部３７は書き込みが可能な他の階床の有無を探索し、書き込みが可能な別の階床が存在する場合、ステップＳ１３０、Ｓ１３１の処理を繰り返す。この探索はＣＰＵが表示制御部３７内のＲＡＭに記憶された階番号をサーチすることにより行われる。
【００９２】
また、ステップＳ１２９において未書き込み階床用のデータが存在していない場合と、ステップＳ１３０において未書き込み階床における乗り場表示装置３１がデータ書き込み可能でない場合とはいずれもこれらのステップのＮＯルートを経由して、ステップＳ１２３に進む。データ書き込み可能でない場合とは、乗り場画像表示部３８が表示データ記憶メモリ３２の表示データの表示の最中であるときなどである。ステップＳ１２３において、未書き込み階床に設置された乗り場表示装置３１がデータ書き込みをすることができない状態である場合、表示制御部３７は未書き込み階床データをこの表示制御部３７内のＲＡＭに保存しておく。
【００９３】
ステップＳ１３１において乗り場表示装置３１がデータを書き込んだ後、図６のステップＳ２６以降の処理を表示制御部３７は行う。
【００９４】
ステップＳ２６において、表示制御部３７は、未書き込み階床を除く他の全ての階床に表示データを送信して書き込みが完了したかどうかを判定する。かご２６側から乗り場２１側への無線データには、表示データと、認証用のＩＤ番号及び暗証番号とが一緒に送られる。これらの表示データと、ＩＤ番号及び暗証番号とが両方受信され、ＩＤ番号及び暗証番号を用いた認証が成功した場合、受信済みの表示データが取り込まれて書き込み処理される。ＩＤ番号及び暗証番号を用いた認証が失敗である場合、受信済みの表示データは廃棄される。なおいずれかの階床で表示データの送信書き込みが完了した場合、ＩＤ番号及び暗証番号を用いた認証処理を省略し、受信済みの表示データを認証処理を経ずに書き込み処理するような処理が行われてもよい。
【００９５】
表示制御部３７は全階床について書き込み処理を完了したと判定すると、ステップＳ２６のＹＥＳルートを通り、ステップＳ２７において表示制御部３７は、書き込み処理を完了し主制御装置２７に終了を通知する。主制御装置２７により、エレベータ２４は通常運転を再開する。表示制御部３７はかご表示装置２９を、乗客に対して情報を表示している状態、即ち通常使用状態にする。
【００９６】
ステップＳ２６において、全階床への書き込みが完了していない場合、ＮＯルートを通り、表示制御部３７はステップＳ１７の処理以降の処理を行い、表示データの書き換えを繰り返す。
【００９７】
またステップＳ２２において、かご２６側及び乗り場２１側の双方が通信を行った結果、乗り場２１側の表示データ記憶メモリ３２に問題があり、この表示データ記憶メモリ３２に表示データの書き込みができないと判明したときには通信不可と表示制御部３７は判断し、ＮＯルートを通り、ステップＳ１２３に進む。ステップＳ１２３において、表示制御部３７は表示データを、未書き込み階床の表示データとして表示制御部３７内のＲＡＭに保存する。この場合、ステップＳ２７に進み、未書き込み階床の表示データを保存したまま、表示制御部３７は表示データの書き換えモードを終了する。この保存された表示データは、後刻、表示制御部３７による判定処理中のステップＳ２６において、乗り場表示装置３１側に何も問題がないかどうかを判断した際、何も問題がなければ、そのまま表示データとして乗り場表示装置３１内の表示データ記憶メモリ３２に書き込まれる。
【００９８】
また、ステップＳ２５において、未書き込み階床用のデータを表示データ記憶メモリ３２に書き込むことが可能でない場合、ＮＯルートを通り、ステップＳ１２３において、表示制御部３７は、表示データをＲＡＭに保存しておく。この保存された表示データも、後刻、表示制御部３７による判定処理において乗り場表示装置３１側に何も問題がないと判断した場合、表示データ記憶メモリ３２に書き込まれる。
【００９９】
本実施形態に係るエレベータ２４では、かご２６を走行させて無線で表示データの送信を行うことで、自動的に各階へ表示データを保存させることができる。各階乗り場２１の液晶データの更新が無線で自動的に行われ、表示制御部３７から各乗り場２１につなぐ専用の信号伝送ケーブルを配線する必要がなく、専用ケーブルを配線する場合に要する煩雑な作業を解消しつつ各階の液晶データを更新することができるようになる。
【０１００】
このように、本発明のこの実施形態に係るエレベータ２４によれば、表示データを乗り場各階に自動的に無線で送信することから、乗り場各階ごとに表示データを書き換える必要がなくなる。昇降路内に有線を敷設することもなくなり、昇降路内を簡潔にできるので、メモリの据付工数や設計上の負担も軽減することができるようになる。保守作業においても、ケーブルが絡まったり、断線する心配もなくなる。事故など安全上好ましくない状況が発生することを防ぐことができるようになる。
【０１０１】
また、スイッチ３４の状態が主制御装置２７に読み込まれるため、スイッチ３４を人がオンに入れた直後に、表示データの更新について、かご３側の表示装置を優先して更新するか、あるいは乗り場側の表示装置を優先して更新するかを簡単に選択できるようにもなる。
【０１０２】
（第２の実施形態の第１変形例）
エレベータ２４の運転モードが表示データを書き換えを行っている最中のモードであるときに、災害が起きた場合、表示制御部３７は書き込みを中断して、書き込みを終えていない残りの階床用のデータを、未書き込み階床用のデータとして保存する。エレベータ２４は管制運転を実行する機能を有する。管制運転とは、エレベータの減速運転、中間階待機あるいは休止など、かご２６への直接的な影響を回避するための運転を指す。表示制御部３７あるいは主制御装置２７には、表示データの書き換え処理よりも管制運転を優先することを予め人が設定しておく。
【０１０３】
この変形例に係るエレベータは、地震や火災などの災害が発生したことを検知する災害発生の検知手段を有する。検知手段の機能は、主制御盤２８内に設けられ、加速度の大きさを計測し地震の強度に応じたレベルの信号を出力する地震感知器により実現される。あるいは、かごドア、ホールドア又は昇降路などに加速度センサ、圧力センサを設けておき、このセンサが検出した変位量といったセンサ値を併せて用いてもよい。このエレベータでは、この検知手段によって災害が発生した場合、ＣＰＵが表示データの更新を中止するようにされており、また、ＣＰＵは、検知手段によって平常であることが検知された場合、エレベータの状態を復旧時の状態に戻し、表示データの更新を再開するようにもなっている。
【０１０４】
主制御盤２８には、火災、地震、停電が発生したときに発せられる管制運転信号を検出する機能が備えられている。地震で揺れが起きたときの階床のレベルの変動量を記録するエンコーダが主制御盤２８には設けられている。地震発生のときには、このエンコーダの出力が異常値を示す。これを主制御装置２７が検知すると、エレベータ２４の管制運転を開始する。
【０１０５】
表示制御部３７は主制御装置２７から管制運転信号を検出するとこの管制運転信号を、送受信部３３を用いて乗り場２１側の表示制御部４０に対して運転情報信号として送信する。各階の表示制御部４０は運転情報信号を受信したことを検出すると、図６、図７のステップＳ１５〜ステップＳ２６、ステップＳ１２３、及びステップS１２９〜ステップＳ１３１、ステップＳ１２３の処理中であっても処理を中断して通常運転に復帰する。
【０１０６】
（第２の実施形態の第２変形例）
上記第２の実施形態では、かご２６側から乗り場２１側に情報を送っていたが、乗り場２１において人が携帯端末１１から乗り場表示装置３１に表示データを送信し、乗り場表示装置３１がかご２６側の乗りかご表示装置２９に表示データを転送するようにもできる。このようにすれば、利用者は、建物のいずれの場所からも情報をエレベータ２４に対して更新可能になり、利便性が高まる。
【０１０７】
（他の実施形態）
尚、本発明は上記実施形態そのままに限定されるものではなく、実施段階ではその要旨を逸脱しない範囲で構成要素を変形して具体化できる。上記の実施形態では、携帯端末１１には携帯電話機が用いられていたが、携帯端末１１には、無線送受信モジュールを組み込まれたパソコンを用いても良い。デジタルカメラや、ビデオカメラで撮影されたデータを、有線を介して、乗り場表示装置あるいは乗りかご表示装置の表示データ記憶メモリを書き換えるようにしてもよい。
【０１０８】
また、表示制御部３７は、全階床のうちのいずれか１階床又は複数階床に設けられた乗り場表示装置３１を表示データの更新専用の乗り場表示装置３１として選択しておき、この専用の乗り場表示装置３１から他の乗り場表示装置３１やかご側へ更新用表示データを転送するといった更新の仕方も可能となる。
【０１０９】
携帯端末１１にインストールされるソフトウェアは例えば携帯端末１１がインターネットに接続し、エレベータ会社のホームページからダウンロードすることにより得られる。
【０１１０】
また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１１１】
１，１Ａ，２４…エレベータ、２，２５…昇降路、３，２６…かご、４…メインロープ、５…巻上機、６…カウンターウェイト、７，２７…主制御装置、８…主制御盤、９…かご内操作盤、１０，２９…乗りかご表示装置（かご画像表示装置）、１１…携帯端末、１１ａ…内部メモリ、１１ｂ…制御部、１１ｃ…アンテナ、１１ｄ…無線送受信部、１１ｅ…操作部、１２，３６…画像表示部、１３…表示制御装置、１４…送受信部、１４ａ…受信アンテナ、１５，２３，３０，３２…表示データ記憶メモリ（メモリ）、１６，３７，４０…表示制御部、１７…記憶データ信号、１８…画像表示データ信号、１９…無線信号、２０…送受信データ信号、２１ａ…乗降口、２１ｂ…乗り場、２２，３１…乗り場表示装置、３３…乗りかご表示装置送受信部、３３ａ，３９ａ…送受信アンテナ、３４…スイッチ、３５…荷重検出装置、３８…乗り場画像表示部、３９…乗り場表示装置送受信部、４１…無線通信。
【図１】
2011051681.tif 000003
【図２】
2011051681.tif 000004
【図３】
2011051681.tif 000005
【図４】
2011051681.tif 000006
【図５】
2011051681.tif 000007
【図６】
2011051681.tif 000008
【図７】
2011051681.tif 000009
【図８】
2011051681.tif 000010
【図９】
2011051681.tif 000011